(57)【特許請求の範囲】
【請求項１】
管腔内に挿入される挿入部に設けられ、第１の方向を観察するための第１レンズと、
前記挿入部に設けられ、前記第１の方向とは異なる方向の第２の方向を観察するための円錐形状を含む第２レンズと、
少なくとも前記第２レンズを支持する枠部材と、
照明光を前記挿入部内に導光する、前記第２レンズと隣接して設けられる導光部と、
前記第２レンズの底面側に設けられて前記枠部材と当接し、前記導光部の導光に伴い発生して前記第２レンズに伝導された熱が該第２レンズ内における局所的な部分に集中することを緩和する、前記第２レンズの大径側の底面に設けられる熱影響緩和部と、
を具備することを特徴とする内視鏡装置。
【請求項２】
前記熱影響緩和部は、前記第２レンズの大径側の底面から均一な厚さで張り出して設けられることを特徴とする請求項１に記載の内視鏡装置。
【請求項３】
前記熱影響緩和部は、前記第２レンズの大径側の底面に前記第２レンズの光軸を囲み垂直な外周面を有するリング形状に張り出して設けられることを特徴とする請求項１に記載の内視鏡装置。
【請求項４】
前記挿入部の先端には、筒状に突出する形状を成すとともに、前記第１レンズにより前記第１の方向を観察するための第１の観察窓と、前記第２レンズにより前記第２の方向を観察するための第２の観察窓と、を有する突出部が設けられることを特徴とする請求項１に記載の内視鏡装置。
【請求項５】
前記突出部と隣接して設けられ、前記導光部と、前記導光部からの前記照明光を前記第１の方向に照射する第１の照明窓とが少なくとも設けられる台座をさらに具備することを特徴とする請求項４に記載の内視鏡装置。
【請求項６】
前記第１レンズは、前記突出部の先端に配置されて、挿入方向である前記第１の方向の視野領域を観察する円筒形状のレンズであり、
前記第２レンズは、前記突出部の前記先端面に繋がる周側面に配置されて前記挿入方向と交差する方向である前記第２の方向の視野領域を観察する円錐台形状のレンズであることを特徴とする請求項４に記載の内視鏡装置。
【請求項７】
前記枠部材は、前記第２レンズの頂面上に前記第１レンズを互いの光軸を重ね配置して支持し、
前記第２レンズの底面側を固定して、前記第１レンズと前記第２レンズから取り込まれた観察像を結像するレンズ群を支持することを特徴とする請求項１に記載の内視鏡装置。
【請求項８】
前記熱影響緩和部は、前記枠部材に形成された環状溝内に充填されて、前記第２レンズの円錐面の大径側の底面に当接するゲル状、パテ状又は、シート状のいずれかの熱伝導部材により構成される熱伝導部材であることを特徴とする請求項１に記載の内視鏡装置。
【請求項９】
前記熱影響緩和部は、前記枠部材の前記導光部に近接する側に形成された円弧溝内に充填され、前記第２レンズの円錐面の大径側の底面に当接するゲル状物質又はパテ状物質のいずれかにより構成される熱伝導部材であることを特徴とする請求項１に記載の内視鏡装置。
【請求項１０】
前記熱影響緩和部は、前記第２レンズの大径側の全底面又は少なくとも大径側の底面の外周側の底面と、前記枠部材とを接着させる熱伝導性接着剤であることを特徴とする請求項１に記載の内視鏡装置。
【発明の詳細な説明】
【技術分野】
【０００１】
本発明は、前方及び側方観察の光学系が挿入部の先端に配置された内視鏡装置に関する。
【背景技術】
【０００２】
一般に、管腔内に挿入して、先端部に設けられた撮像部により撮像された画像を観察する挿入部を有する内視鏡装置が知られている。その撮像部に設けられる観察光学系には、前方のみ成らず、側方の観察を行うことができる光学系素子（撮影レンズ）を有している構成がある。例えば、特許文献１においては、挿入部の先端面から突出するように設けられた突出部の先端面に、前方観察窓（前方観察用レンズ）が配置され、突出部の周面には、円曲面を有する側方観察窓（兼用レンズ）が配置された構成である。【０００３】
前方観察窓は、挿入方向（軸方向）を所定の視野領域の観察対象を取り込み、側方観察窓は、軸方向に対して交差する側方周囲の観察対象を取り込んでいる。この特許文献１の観察光学系は、それぞれの窓に配置される２つのレンズをレンズ枠により光軸方向に配列するように一体的に構成している。【０００４】
更に、この観察光学系の別な例として、特許文献１では、側方観察窓である兼用レンズから取り込んだ側方観察像を前方観察用レンズのレンズ面を反射面として利用して、撮像素子に導く側方観察レンズに対して、特許文献２には、側方観察窓から取り込んだ側方観察像を自身のレンズ内で反射して、光学素子に導く出射する側方観察レンズが提案されている。この側方観察レンズは、出射面（基端側）が球面状に削り取られて、側面観察窓の後端が側面から裏面に掛ける鋭角形状となり、側面が異なる径による段差を有する円錐台の形状となっている。
【先行技術文献】
【特許文献】
【０００５】
【特許文献１】特許第４９５５８３８号公報
【特許文献２】特開２０１０−１６９７９２号公報
【特許文献３】特開２００１−２９９６７７号公報
【発明の概要】
【発明が解決しようとする課題】
【０００６】
前述した特許文献１においては、前方を照明するために、突出部の先端面の観察光学系に近接して、照明光を照射するための前方照明窓及びライトガイド（ＬＧ）からなる第１の導光部が配置されている。更に、側方を照明するために、突出部の根元付近に側方照明窓及び第２の導光部が配置されている。第１の導光部は、狭隘な突出部内に前方観察窓と並設して収納されるため、途中で側方観察レンズと隣接することになる。【０００７】
このような配置により、光の通過により、第１の導光部が発熱体となって発生した熱が側方観察レンズに熱伝導される。側方観察レンズが特許文献２のような円錐形状を成し、後端が裏面に掛けて鋭角形状に形成されていた場合、その鋭角部分に熱が集中して影響を受け、レンズが劣化（光学性能、変形、割れ及び、部分的な変色）する懸念がある。【０００８】
また、特許文献３には、内視鏡の挿入部内に設けられた発光素子（ＬＥＤ）が発生させた熱がレンズや撮像素子の品質劣化を招くことを課題として、その対策技術が開示されている。具体的には、レンズや撮像素子の保持部材を熱伝導性に優れた材料により形成し、更に保持部材の外周面を薄肉の外ケースに当接させて、熱を効率的に放熱している。しかしながら、熱伝導のための枠構造が別途、必要となり小型化が難しい上、効率的に外ケースに放熱させるためには、構造上に制限があるため、複雑な構造とならざるを得ない。特に、前方観察窓を主体に考案された構成であるため、側方観察窓に対して適用することが容易ではなく、その放熱効果も限定されたものになる。その上、内視鏡装置の部品点数が増加して組立て作業が繁雑となり、製造コストに影響することとなる。【０００９】
そこで本発明は、撮影光学系レンズに隣接配置される発熱体による熱の悪影響を防止し、品質を劣化させず、狭隘な内視鏡の挿入部先端部内で簡易な構造であり、安定した性能を有し且つ低コストで実現可能な内視鏡装置を提供することを目的とする。
【課題を解決するための手段】
【００１０】
上記目的を達成するために、本発明に従う実施形態の内視鏡装置は、  管腔内に挿入される挿入部に設けられ、第１の方向を観察するための第１レンズと、前記挿入部に設けられ、前記第１の方向とは異なる方向の第２の方向を観察するための円錐形状を含む第２レンズと、少なくとも前記第２レンズを支持する枠部材と、照明光を前記挿入部内に導光する、前記第２レンズと隣接して設けられる導光部と、前記第２レンズの底面側に設けられて前記枠部材と当接し、前記導光部の導光に伴い発生して前記第２レンズに伝導された熱が該第２レンズ内における局所的な部分に集中することを緩和する、前記第２レンズの大径側の底面に設けられる熱影響緩和部と、を具備する。
【発明の効果】
【００１１】
本発明によれば、撮影光学系レンズに隣接配置される発熱体による熱の悪影響を防止し、品質劣化せず、狭隘な内視鏡の挿入部先端部内で簡易な構造であり、安定した性能を有し且つ低コストで実現可能な内視鏡装置を提供することができる。
【図面の簡単な説明】
【００１２】
【図１】図１は、第１の実施形態に係る前方観察窓及び側方観察窓を有する撮像ユニットが搭載された内視鏡装置の外観構成を示す図である。
【図２Ａ】図２Ａは、第１の実施形態に係る挿入部先端の外観構成を示す図である。
【図２Ｂ】図２Ｂは、挿入部先端を正面から見た構成を示す図である。
【図３】図３は、図２Ａの線分Ａ−Ａにおけるレンズユニットを含む先端部の断面構成を示す図である。
【図４】図４は、第１の実施形態の変形例に係るレンズユニットを含む先端部の断面構成を示す図である。
【図５Ａ】図５Ａは、第２の実施形態に係る挿入部の先端部の断面構成を示す図である。
【図５Ｂ】図５Ｂは、図５Ａに示す線分Ｂ−Ｂにおけるレンズユニットの断面構成を示す図である。
【図６Ａ】図６Ａは、第２の実施形態の変形例に係る挿入部の先端部の断面構成を示す図である。
【図６Ｂ】図６Ｂは、図６Ａに示す線分Ｂ−Ｂにおけるレンズユニットの断面構成を示す図である。
【図７】図７は、第３の実施形態に係る内視鏡装置の挿入部の先端部の断面構成を示す図である。
【図８】図８は、第３の実施形態の変形例に係る内視鏡装置の挿入部の先端部の断面構成を示す図である。
【発明を実施するための形態】
【００１３】
以下、図面を参照して本発明の実施形態について詳細に説明する。  
［第１の実施形態］
図１は、第１の実施形態に係る前方観察窓（直視観察窓）及び側方観察窓（側視観察窓）を有する撮像ユニットが搭載された内視鏡装置の外観構成を示す図である。  
本実施形態の内視鏡装置は、大別して、内視鏡本体１と、移動可能なトロリー２に搭載された内視鏡用機器７と、で構成される。本実施形態は、生体の体腔内や管腔内を観察する生体内視鏡や、エンジン等の機器内や管路内を観察する工業内視鏡に適用可能である。また、本実施形態では、軟性鏡を例として説明するが、硬性鏡においても同様に搭載することができる。
【００１４】
内視鏡本体１は、観察対象となる管腔内に挿入される挿入部（可撓管）４と、その先端に設けられた湾曲部９と、湾曲部９を湾曲動作させる操作部３と、で構成される。湾曲部９の先端側には、撮像ユニットや照明部が配置される先端部５が設けられている。以下の説明において、挿入部４を中央として、先端部５に向かう方を先端側とし、操作部３に向かう方を基端側と称する。  
内視鏡用機器７は、観察対象部位に照射する照明光を生成する光源装置と、撮像された映像信号に所定の画像処理を施すビデオプロセッサと、映像信号を観察画像として表示するモニタと、入力部であるキーボード等を有している。
【００１５】
更に、トロリー２の支柱には、洗浄等に用いられる液体（洗浄液：例えば、生理食塩水等の水を主とする液体）を貯留するボトル８が着脱可能に取り付けられている。また、内視鏡用機器７の内部には、送気ポンプユニットが配置されている。更に、トロリー２の棚には、管腔内で後述する洗浄ノズルから管腔内に噴出された洗浄のための液体や気体を吸引する吸引ユニット１０が設けられている。
【００１６】
内視鏡本体１と光源ユニット１１は、ユニバーサルケーブル６とコネクタ接続されている。ユニバーサルケーブル６は、光ファイバーからなるライトガイドの他に、映像信号等を伝送する複数の信号線、チューブからなる気体及び液体の供給路（送気送液チャンネル）と排出路を含んでいる。ユニバーサルケーブル６の内視鏡用機器７側に接続するコネクタ部１２は、信号線とチューブとライトガイドに分岐して、それぞれの構成部に接続している。
【００１７】
図２Ａは、第１の実施形態の挿入部先端の外観構成を示す図、図２Ｂは、挿入部先端を正面から見た構成を示す図である。図３は、図２Ａの線分Ａ−Ａにおけるレンズユニット２１を含む先端部５の断面構成を示す図である。尚、以下の説明で、挿入部の体腔内の進行方向を挿入方向又は軸方向とし、軸方向から見た面を正面（先端面）とし、その軸方向と直交する面を側面又は周側面と称している。
【００１８】
挿入部４の先端部５の先端面には、突出するように、レンズユニット２１と台座２６とが一体的に設けられた筒状に突出する突出部（台座）１３が設けられている。レンズユニット２１は、内視鏡の撮像光学系の一部であり、挿入方向（軸方向）で所定の視野領域（第１の視野領域）を観察する前方観察窓（第１の観察窓：円筒凹面レンズ２３［第１レンズ］）２３ａと、挿入方向と交差する方向（側方）で所定の視野領域を観察する側方観察窓（第２の観察窓：円錐台レンズ２４［第２レンズ］）２４ａと、円錐台レンズ２４で集光された観察像の光像を図示しない撮像素子に導くレンズ群３４と、で構成される。尚、本実施形態では、円筒凹面レンズ２３の表面が前方観察窓２３ａであり、円錐台レンズ２４の先細りテーパーの円錐面（又は、側面）が側方観察窓２４ａである。レンズユニット２１の後方には、側方全周囲を照明するための２つの側方照明窓（第２の照明窓）２５が配置されている。
【００１９】
また、台座２６は、前方観察窓２３ａと同じ面の高さ（前方への張り出し高さ）を有する先端構造物である。更に、台座２６の正面側には、前方観察窓２３ａの近傍に配置された洗浄ノズル２８及び前方観察用の照明光を照射する前方照明窓（第１の照明窓）２７が配置される。更に、台座２６の両側面には、側方観察窓２４ａを洗浄する２つの洗浄ノズル２９が配置されている。台座１３は、その内部に、洗浄ノズル２８，２９に繋がる図示しない送液路及び送気路が配管され、配管途中に切換バルブが設けられている。また、先端面上でレンズユニット２１の近傍には、図示しない鉗子等を挿通するための鉗子孔の開口部３０が形成されている。
【００２０】
また、突出部内でレンズユニット２１に隣接して、挿入部基端から挿通されるライトガイド（導光部）３１が台座２６の先端面に配置される前方照明窓２７まで配置され、照明光（光束）を導光する。導光された照明光は、前方観察窓２３ａの観察視野を照明するように、前方向に照射される。ライトガイド３１及び前方照明窓２７は、前述したように、照明時には、発熱源となる。尚、本実施形態では、ライトガイド３１を用いた構成であるが、発光ダイオード等の発光素子を挿入部先端側に設けた構成など、ライトガイド３１以外の光源又は、熱源（例えば、ヒータ等）による発熱においても、同様に適用することができる。
【００２１】
レンズユニット２１について詳細に説明する。  
図３に示すように、正面に配置された円筒凹面レンズ２３は、円筒形状を成し、前方に露出する表面側（入射側）が平坦面であり、円錐台レンズ２４と当接する裏面側（出射側）の中央には、半球形状の凹曲面が形成されている。  
円錐台レンズ２４の頂面（小径側の面）は、周囲が環状に切り欠かれ、円筒凹面レンズ２３と同径の段差部２４ｂが形成される。円錐台レンズ２４の頂面上に円筒凹面レンズ２３が当接して光軸が重なるように配置され、鏡枠２２ａにより一体的に支持される。
【００２２】
更に、円錐台レンズ２４の底面（大径側の面）側は、中央に半球状の凹面が形成され、その凹面周囲には、リング形状に張り出す熱影響緩和部２４ｃが形成されている。この熱影響緩和部２４ｃは、少なくとも円錐面である側方観察窓２４ａと繋がる外周面が垂直な周側面である。つまり、円錐台レンズ２４の底面側を、光軸を中心として環状に均一な厚さで張り出させて、従来の鋭角形状を鈍角形状に変更している。更に、熱影響緩和部２４ｃの周側面を利用して、台座２６に当接する部分を除き、鏡枠２２ｂ内に嵌め込まれている。また、円錐台レンズ２４（熱影響緩和部２４ｃ）は、底面がレンズ群３４を支持する枠部材３３に嵌装されて当接又は密着するように固定される。
【００２３】
円錐台レンズ２４と円筒凹面レンズ２３の当接面２４ｄは、円錐台レンズ２４における反射面を形成する。円錐台レンズ２４は、台座１３内で枠部材３３に支持されている。  
枠部材３３は、中央に光路となる筒部が配置され、先端に鍔状の張り出し部３３ａが形成されて、円錐台レンズ２４の底面に密着している。筒部内には、複数の結像レンズから成るレンズ群３４が光軸上に配列するように嵌装されている。
【００２４】
このようなレンズユニット２１とライトガイド３１が発生させる熱の関係について説明する。  
前述したように、レンズユニット２１の円錐台レンズ２４がライトガイド３１と近接して配置されている。このため、図３に示すように、ライトガイド３１により発生した熱が、最も近い円錐台レンズ２４の熱影響緩和部２４ｃの部分２４ｅに伝わる。一方、半径方向の反対側の部分は、周囲の温度と略同等になっており、当初、円錐台レンズ２４内で温度差が発生する。
【００２５】
ここで、熱による円錐台レンズ２４内に生じる温度差の具体的な一例について説明する。円錐台レンズ２４に熱影響緩和部２４ｃを形成しなかった場合には、レンズ下側の底面（基端面）と繋がる鋭角の角部分に熱が溜まり易く、照明光によって上昇するライトガイドの温度に近い温度まで上昇する。一例としては、近接する角部付近の温度は、ライトガイド温度の８０℃程度まで上昇することが想定される。円錐台レンズ２４は、この角部から離れるに従い温度が下降し、反対側の部分では外気温度（２０℃程度）に近い温度となる。
【００２６】
つまり、同一レンズ内に８０℃と２０℃による温度差が発生する。この温度差を、一般的なガラス熱線膨張係数（例えば、７×１０−６／℃）に掛け合わせると、０．４２μｍが得られる。即ち、同一レンズ内で０．４２μｍの大きな誤差分布が発生することとなる。この値は、レンズの光学面形状誤差（要求精度）に対して大きな誤差となり、収差などの画像劣化となる。
【００２７】
円錐台レンズ２４は、ライトガイド３１から伝搬された熱を、レンズ内で拡散し、且つ枠部材３３及び鏡枠２２ａを通じて放熱する。本実施形態では、熱が最も伝えられる円錐台レンズ２４の下側部分に熱影響緩和部２４ｃを形成して鈍角形状とすることで、熱の集中を緩和し、レンズ内の熱の差を少なくして、熱による変形（歪み）や割れ損傷を防止することができる。また、レンズ内の局所的な温度差で発生する歪みを抑えることで、観察像は設計された光路を通過することができ、撮影画像の画質低下を防止することができる。
【００２８】
［第１の実施形態の変形例］
次に、図４を参照して、第１の実施形態の変形例について説明する。  
図４は、第１の実施形態と同様に、図２Ａの線分Ａ−Ａにおけるレンズユニットを含む挿入部先端の断面構成を示す図である。本変形例は、レンズユニット２１の円錐台レンズ２４の固定手法が異なっており、これ以外の構成部は、内視鏡システムを含み同等であり、同じ参照符号を付して、その説明を省略する。
【００２９】
円筒凹面レンズ２３は、円錐台レンズ２４と光軸を合わせて連なるように配置されている。円錐台レンズ２４の下面側は、中央に半球状の凹面が形成され、その凹面周囲には、リング形状に張り出す熱影響緩和部２４ｃが形成されている。この熱影響緩和部２４ｃは、少なくとも外周面が垂直面として形成され、熱影響緩和部２４ｃの底面が枠部材３３の鍔状の張り出し部３３ａに接着剤を用いて固定されている。接着剤は、例えば、エポキシ系の接着材料を使用した場合、熱による接着剤の硬化収縮が発生し、レンズの面を収縮させる。  
これに対して、本変形例では、円錐台レンズ２４の下側に熱影響緩和部２４ｃを設けて、熱の影響を最も受ける底面（接着面）と光学機能面（側方観察窓２４ａ）とを離すことにより、接着剤の収縮による影響を受けなくなり、良好な画像を得ることができる。
【００３０】
［第２の実施形態］
第２の実施形態の熱影響緩和部について説明する。  
図５Ａは、第２の実施形態に係る内視鏡装置の挿入部の先端部の断面構成を示す図、図５Ｂは、図５Ａに示す線分Ｂ−Ｂにおけるレンズユニット２１の断面構成を示す図である。即ち、第１の実施形態で説明した図２Ａの線分Ａ−Ａにおける先端部の断面構成である。尚、本実施形態の構成部位において、前述した第１の実施形態の構成部位と同等の構成部位には同じ参照符号を付して、その詳細な説明は省略する。  
本実施形態のレンズユニット２１は、側方観察窓２４ａの円錐台レンズ２４の底面に、枠部材３３の先端に設けられた鍔状の張り出し部３３ａ内に環状に設けられた熱影響緩和部である熱伝導部材（ゲル状物質又は、パテ状物質、シート状物質）３５を当接又は密着させて、円錐台レンズ２４の放熱効果を高めた構成である。
【００３１】
図５Ａ，５Ｂに示すように、張り出し部３３ａで円錐台レンズ２４の底面が固定される箇所に環状溝３３ｂを形成する。環状溝３３ｂ内を熱伝導部３６で満たして、円錐台レンズ２４の溝以外の底面部分を接着剤３７で接着固定し、熱伝導部３６が漏れ出ないように密封する。この時、円錐台レンズ２４の底面に熱伝導部材３５が当接又は密着している必要がある。尚、熱伝導部材は、ゲル状等に限定されず、シート形状に形成されてもよく、溝内に嵌め入れてもよい。
【００３２】
熱伝導部３６は、高い熱伝導率を有し、例えば、シリコーンを主原料とするものが知られている。接着剤３７に後述する熱伝導性接着剤を採用することで、円錐台レンズ２４の底面と張り出し部３３ａとの接着面を通じて、レンズ、枠部材３３や鏡枠２２に熱を逃がすことができる。  
このように構成されたレンズユニット２１の円錐台レンズ２４は、ライトガイド３１から伝導された熱をレンズの底面から環形状の熱伝導部３６に逃がして、効率よく枠部材３３や鏡枠２２を通じて放熱する。
【００３３】
従って、本実施形態によれば、熱伝導部３６を通じて、円錐台レンズ２４における室温に近い箇所即ち、ライトガイド３１に近接する側の反対側に、熱を伝導して、近接側の熱を反対側に拡散することができ、蓄積されていた熱を放熱することで、円錐台レンズ２４の局所的な温度差を緩和されて、レンズが全体的に温度上昇する。よって、レンズ内の温度差で発生する歪みを抑えることで、撮影画像の画質低下を防止することができる。
【００３４】
［第２の実施形態の変形例］
第２の実施形態の変形例について説明する。  
図６Ａは、第２の実施形態の変形例に係る内視鏡装置の挿入部の先端部の断面構成を示す図、図６Ｂは、図６Ａに示す線分Ｂ−Ｂにおけるレンズユニット２１の断面構成を示す図である。尚、本実施形態の構成部位において、前述した第１の実施形態の構成部位と同等の構成部位には同じ参照符号を付して、その詳細な説明は省略する。 
本変形例は、前述した第２の実施形態における張り出し部３３ａのライトガイド３１の近傍の箇所に円弧溝３３ｃを形成し、熱伝導材料を充填した円弧形状の熱伝導部３６ａを配置した構成である。
【００３５】
本変形例は、前述した第２の実施形態と同等の作用効果を得ることができる。また、接着剤として、後述する熱伝導性接着剤を採用することで、円錐台レンズ２４の底面と張り出し部３３ａとの接着面を通じて、レンズ、枠部材３３や鏡枠２２に熱をより逃がすことができる。即ち、ライトガイド３１に近傍する円錐台レンズ２４下側の角部分における局所的な温度上昇を抑制して、熱が伝導されたとしても、レンズ内に拡散させることができる。よって、レンズ内の局所的な温度差（熱の集中）で発生する歪みを抑えることで、観察像が設計されたレンズ内の光路を通過することができ、撮影画像の画質低下を防止することができる。
【００３６】
［第３の実施形態］
第３の実施形態の熱影響緩和部について説明する。  
図７は、第３の実施形態に係る内視鏡装置の挿入部の先端部の断面構成を示す図である。  
本実施形態は、円錐台レンズ２４の全底面と張り出し部３３ａとを熱伝導率が高い熱伝導性接着剤で接着し、接着剤を通じてレンズ、枠部材３３や鏡枠２２に熱を逃が構成である。本実施形態は、接着剤４１に熱影響緩和部として機能する熱伝導性接着剤を採用する。熱伝導性接着剤４１として樹脂材料（例えば、エポキシ材料、ポリイミド材料及びシリコーン材料等）を用いた接着剤が知られている。
【００３７】
本実施形態は、熱伝導性接着剤４１を用いることにより、円錐台レンズ２４における室温に近い箇所即ち、ライトガイド３１に近接する側の反対側に、熱を伝導することにより、近接側の熱を反対側に拡散することができ、円錐台レンズ２４の局所的な温度差（熱の集中）を緩和する。よって、レンズ内の温度差で発生する歪みを抑えることで、撮影画像の画質低下を防止することができる。尚、本実施形態では、熱伝導性接着剤４１を介在させることで熱を拡散させる例について説明したが、接着剤に代わって、円錐台レンズ２４と張り出し部３３ａとの接着面に熱伝導性シートを挟むことで、同様な作用効果を得ることも可能である。
【００３８】
［第３の実施形態の変形例］
第３の実施形態の変形例について説明する。  
図８は、第３の実施形態の変形例に係る内視鏡装置の挿入部の先端部の断面構成を示す図である。前述した第３の実施形態では、円錐台レンズ２４の全底面と張り出し部３３ａとを熱伝導性接着剤で接着した構成であったが、本変形例は、円錐台レンズ２４の外周側底面と張り出し部３３ａとを熱影響緩和部として機能する熱伝導性接着剤で接着した構成である。
【００３９】
図８に示すように、張り出し部３３ａの面の外周側を削り取り、段差３３ｄを形成する。この段差３３ｄを埋めるように、熱伝導性接着剤４２を充填して、円錐台レンズ２４の底面の外周側部分と張り出し部３３ａとを接着する。  
本変形例においても、熱伝導性接着剤４２を通じて、円錐台レンズ２４に伝導された熱をレンズの反対側（ライトガイド３１の反対側）、枠部材３３や鏡枠２２に熱を逃がすことができる。この放熱により、円錐台レンズ２４の局所的な温度差（熱の集中）を緩和して、レンズ内の温度差で発生する歪みを抑えて、撮影画像の画質低下を防止することができる。
【符号の説明】
【００４４】
１…内視鏡本体、２…トロリー、３…操作部、４…挿入部（可撓管）、５…先端部、６…ユニバーサルケーブル、７…内視鏡用機器、８…ボトル、９…湾曲部、１０…吸引ユニット、１１…光源ユニット、１２…コネクタ部、１３…突出部（台座）、２１…レンズユニット、２２，２２ａ，２２ｂ…鏡枠、２３…円筒凹面レンズ、２３ａ…前方観察窓、２４…円錐台レンズ、２４ａ…側方観察窓、２４ｂ…段差部、２４ｃ…熱影響緩和部、２４ｄ…当接面、２５…側方照明窓、２６…台座、２７…前方照明窓、２８，２９…洗浄ノズル、３０…開口部、３１…ライトガイド、３３…枠部材、３４…レンズ群。
【図１】
0005715308.tif 000002
【図２Ａ】
0005715308.tif 000003
【図２Ｂ】
0005715308.tif 000004
【図３】
0005715308.tif 000005
【図４】
0005715308.tif 000006
【図５Ａ】
0005715308.tif 000007
【図５Ｂ】
0005715308.tif 000008
【図６Ａ】
0005715308.tif 000009
【図６Ｂ】
0005715308.tif 000010
【図７】
0005715308.tif 000011
【図８】
0005715308.tif 000012